(57)【要約】【課題】  ファン装置の大形化をきたさず、しかも、ファン装置の構造に大幅な変更を加えることなく、機器筐体の前方に届く騒音を効率よく低減させる。【解決手段】  箱形のファンホルダー２０が機器筐体５０の背壁５１に装着されている。通風口２１が機器筐体５０の後方に向いている。ファンホルダー２０に、通風口２１に連通する通風路４１を形成する後向きの筒状部４０を追加し、その筒状部４０の後端開口によって形成される開放口４２の位置を、機器筐体５０の後方へずらせる。【選択図】        図１
2010272819.tif 000002
【特許請求の範囲】
【請求項１】
電動回転羽根と、この電動回転羽根を収容している箱形のファンホルダーと、ファンホルダーに備わっている通風口と、を有し、上記ファンホルダーが機器筐体の背壁に装着されて、上記通風口が機器筐体の後方に向けられている電気電子機器のファン装置において、
上記ファンホルダーに、上記通風口に連通する通風路を形成する後向きの筒状部を追加することによって、その筒状部の後端開口によって形成される開放口の機器筐体の前面からの距離を、上記通風口の機器筐体の前面からの距離よりも長く延長してあることを特徴とする電気電子機器のファン装置。
【請求項２】
上記電動回転羽根の回転に伴う送風作用により、上記通風口と上記通風路と上記開放口とを経由して上記機器筐体の内部から外部に向かう気流が形成されるように構成されている請求項１に記載した電気電子機器のファン装置。
【請求項３】
上記ファンホルダーが機器筐体の背壁の外面に固着されていると共に、上記筒状部がこのファンホルダーと共に樹脂で一体成形されている請求項２又は請求項３に記載した電気電子機器のファン装置。
【発明の詳細な説明】
【技術分野】
【０００１】
本発明は、電気電子機器のファン装置、特に、電動回転羽根を収容している箱形のファンホルダーが機器筐体の背壁に装着されている電気電子機器のファン装置に関する。
【背景技術】
【０００２】
従来より、ディスクドライブを内蔵しているディスク装置やプロジェクタといった電気電子機器の筐体の内部で気流を生じさせたり、その筐体の内部から外部に向かう排気流を生じさせて電気電子部品などを強制冷却することが行われている（たとえば、特許文献１、特許文献２参照）。
【０００３】
ここで掲げた特許文献のうち、同文献１には、下向きの排気口を下面に有する装置の内部に設置した冷却ファンから発生する騒音が、装置の前方にいるオペレータに聞こえにくくするための対策として、装置の前部下面に遮音部材を取り付けることが記載されている。また、同文献２には、冷却ファンを収容しているダクトに消音ダクトを追加し、かつ、その消音ダクトの内面に吸音材などを配備しておくことによって、騒音が上記ダクトから外部に漏れだしにくくすることについての記載がある。
【０００４】
一方、電気電子機器のファン装置の従来例として、電動回転羽根と、この電動回転羽根を収容している箱形のファンホルダーと、ファンホルダーに備わっている通風口と、を有している。そして、ファンホルダーが機器筐体の背壁に装着されて、上記通風口が機器筐体の後方に向けられているものがあった。このファン装置を装備した電気電子機器を図４に側面図で示してある。
【０００５】
図４において、１０はファン装置である。このファン装置１０では、ファンホルダー２０に設けられている取付けフランジ３０が、機器筐体５０の背壁にビス止めなどの適宜手段で装着されている。図例のファン装置１０は、図示していない電動回転羽根の回転に伴う送風作用により、機器筐体５０の内部から外部に向かう気流が形成されて、ファンホルダー２０の通風口から矢印Ｆのように機器筐体５０の後方に向けて排気が行われるようになっている。そして、このファン装置１０によって発生した騒音は、ファンホルダー２０の通風口から漏れ出すことが判っている。また、図例のファン装置１０のように、機器筐体５０の背壁に装着されて後方に向けて排気が行われるようになっていると、機器筐体５０の下方や上方、さらには側方に向けて排気が行われるようになっている場合に比べて、機器筐体５０の前方には騒音が届きにくくなることも判っている。
【先行技術文献】
【特許文献】
【０００６】
【特許文献１】特開平８−１４８８６８号公報
【特許文献２】特開２００２−３１１５０５号公報
【発明の概要】
【発明が解決しようとする課題】
【０００７】
しかしながら、図４に示した従来例によるファン装置１０において、機器筐体５０の前方に届く騒音をいっそう低減することが要求されている。この要求に応えるためには、特許文献１に見られるような遮音部材を別途使用したり、特許文献２に見られるような消音ダクトを別途設けたりすることが考えられるけれども、そのようにすると、部品点数が増加してコスト高になったり、電気電子機器の外観が変わってしまうといった問題点を生じることが想定される。
【０００８】
また、騒音を発生しにくくするするためには、ファン装置を大形化することが有効であるけれども、大形のファン装置を用いることは、それだけコスト高になるだけでなく、電気電子機器が顕著に大形化してしまうという問題がある。
【０００９】
そこで、本発明は、ファン装置の大形化をきたさず、しかも、ファン装置の構造に大幅な変更を加えることなく、機器筐体の前方に届く騒音が効率よく低減される電気電子機器のファン装置を提供することを目的としている。
【課題を解決するための手段】
【００１０】
本発明に係る電気電子機器のファン装置は、電動回転羽根と、この電動回転羽根を収容している箱形のファンホルダーと、ファンホルダーに備わっている通風口と、を有し、上記ファンホルダーが機器筐体の背壁に装着されて、上記通風口が機器筐体の後方に向けられている。そして、上記ファンホルダーに、上記通風口に連通する通風路を形成する後向きの筒状部を追加することによって、その筒状部の後端開口によって形成される開放口の機器筐体の前面からの距離を、上記通風口の機器筐体の前面からの距離よりも長く延長してある。
【００１１】
この構成を採用すると、ファン装置で発生する主たる騒音の出口が、ファンホルダーの通風口よりも後方に位置している筒状部の開放口に変更される。そのため、機器筐体の前方に騒音が届きにくくなり、それだけ機器筐体の前方での騒音が低減される。また、この構成を採用すると、機器筐体の前方での騒音を低減させるための対策として、ファンホルダーに後向きの筒状部を追加するだけで済み、そのことが、コスト高になることを抑制したり、電気電子機器が大形化することを抑制することに役立つ。
【００１２】
本発明では、上記電動回転羽根の回転に伴う送風作用により、上記通風口と上記通風路と上記開放口とを経由して上記機器筐体の内部から外部に向かう気流が形成されるように構成されている、という構成を採用することが可能である。この構成を採用すると、機器筐体に収容している部品の強制冷却を、機器筐体の内部から外部に向かう気流によって実現することが可能になる。
【００１３】
本発明では、上記ファンホルダーが機器筐体の背壁の外面に固着されていると共に、上記筒状部がこのファンホルダーと共に樹脂で一体成形されていることが望ましい。この構成であると、筒状部を別部品として用意する必要がなくなるので、部品点数を増加させずに機器筐体の前方での騒音を低減させることが可能になる。
【発明の効果】
【００１４】
以上のように、本発明に係る電気電子機器のファン装置によれば、ファン装置の大形化をきたさず、しかも、ファン装置の構造に大幅な変更を加えることなく、機器筐体の前方に届く騒音が効率よく低減されるようになる。
【図面の簡単な説明】
【００１５】
【図１】本発明に係るファン装置を装備した電気電子機器の概略斜視図である。
【図２】ファン装置の概略斜視図である。
【図３】ファン装置による作用を説明するための側面図である。
【図４】従来例によるファン装置を装備した電気電子機器の側面図で示してある。
【発明を実施するための形態】
【００１６】
図１は本発明に係るファン装置１０を装備している電気電子機器の概略斜視図、図２はファン装置１０の概略斜視図、図３はファン装置１０による作用を説明するための側面図である。
【００１７】
図１に示した電気電子機器は、偏平箱形の機器筐体５０にＤＶＤドライブなどのディスク装置を内蔵している。そして、この機器筐体５０の背壁５１に、ファン装置１０が装着されている。
【００１８】
図１又は図２に示したように、ファン装置１０は、図に現れていない電動回転羽根と、この電動回転羽根を収容している箱形の上記ファンホルダー２０と、ファンホルダー２０に備わっている通風口２１とを有している。そして、ファンホルダー２０の取付けフランジ３０が、図１のように機器筐体５０の背壁にビス止めなどの適宜手段で装着されている。このファン装置１０では、上記電動回転羽根の回転に伴う送風作用により、機器筐体５０の内部から外部に向かう気流が形成されて、ファンホルダー２０の後端に開設されている通風口２１から矢印Ｆのように機器筐体５０の後方に向けて排気が行われるようになっている。したがって、このファン装置１０によって発生した騒音は、ファンホルダー２０の通風口２１から漏れ出す。
【００１９】
この実施形態では、ファンホルダー２０に、通風口２１に連通する通風路４１を形成する後向きの筒状部４０が追加されている。この筒状部４０は、ファンホルダー２０と一体に樹脂で成形されていて、円形リング状のリブによって形成されている。
【００２０】
このようにファンホルダー２０に追加されている筒状部４０によって、通風口２１に連通する通風路４１が形成されていると、電動回転羽根の回転に伴う送風作用により形成された気流が、ファンホルダー２０の通風口２１と筒状部４０の通風路４１と筒状部４０の後端開口によって形成される開放口４２とを経て、機器筐体５０の後方に向けて排気される。したがって、このファン装置１０によって発生した騒音は、筒状部４０の後端開口４２から漏れ出す。
【００２１】
ファン装置１０が上記の構成を有していると、図３に示したように、筒状部４０の後端開口によって形成される開放口４２の機器筐体５０の前面５２からの距離Ｌ１が、通風口２１の機器筐体５０の前面５２からの距離Ｌよりも長さＡだけ、長く延長されていることになる。通風口２１の機器筐体５０の前面５２からの距離Ｌについては図４にも示してある。
【００２２】
このため、実施形態のファン装置１０を装備している電気電子機器では、ファン装置２０で発生する騒音の出口が、従来の場合よりも長さＡに相当する距離だけ、機器筐体５０の前面５２から遠ざかる。したがって、従来例の場合よりも、機器筐体５０の前方に騒音が届きにくくなる。
【００２３】
調査の結果、従来例によるファン装置を装備させた電気電子機器（図４の電気電子機器に相当）と、従来例によるファン装置に上記の筒状部４０を追加したファン装置４０を装備させた電気電子機器（図１、図３の電気電子機器に相当）とを準備し、それらの機器筐体５０の前面５２からその前方へ３０ｃｍだけ離れた位置で、ファン装置を運転することによって生じる騒音を測定したところ、騒音が２ｄｂ程度低減していた。このことから、筒状部４０を追加することが、機器筐体５０の前面５２に届く騒音の軽減に役立っていることが判った。
【００２４】
以上より、この実施形態のファン装置４０を装備した電気電子機器では、図４に示した従来例によるファン装置４０を装備しした電気電子機器よりも静音化が促進されることが明らかである。
【００２５】
なお、通風口２１から筒状部４０の開放口４２に至る長さＡは、たとえば１０ｍｍ程度であれば十分な騒音軽減作用が得られるけれども、この長さＡは７ｍｍ以上であってもよい。しかし、長さＡを徒に長くしすぎると、騒音軽減作用は顕著に発揮されるものの、機器筐体５０の後方へのファン装置１０の突出し幅が長くなりすぎて、実使用に向かなくなる。
【符号の説明】
【００２６】
２０  ファンホルダー
２１  通風口
４０  筒状部
４１  通風路
４２  開放口
５０  機器筐体
５１  機器筐体の背壁
５２  機器筐体の前面
Ｌ  通風口の機器筐体の前面からの距離
Ｌ１  開放口の機器筐体の前面からの距離
【図１】
2010272819.tif 000003
【図２】
2010272819.tif 000004
【図３】
2010272819.tif 000005
【図４】
2010272819.tif 000006